(57)【要約】【課題】冊子状シートを切断して画像読取する際に切断から画像読取までを簡単な構造であると共に再現性に富んだ画像読取が可能であるカッティング機構を有するスキャナ装置の提供。【解決手段】紙載台に冊子状シート束を載置し、背綴じ部の一端から他端に切断刃を往復移動することによってシート束を段階的に複数回切断して下流側のプラテンで画像読取りすることと、切断手段とシート送り手段と読取プラテンをこの順に配置し切断されたシートを小口部側から読取プラテンに送る。このように構成することによって切断装置を大型で堅牢に構成する必要がなく、同時に切断したシートは切断側と反対の小口端側から画像読取りを開始するので画像データとして余白を正確に再現することが出来る。【選択図】図１
2013183172.tif 000002
【特許請求の範囲】
【請求項１】
冊子状シートを上流側でカットして下流側で画像読取するスキャナ装置であって、
冊子状シートを載置する紙載台と、
前記紙載台上の束シートを押圧保持する紙押え手段と、
前記紙載台上の束シートの背綴じ部を切断する切断手段と、
前記紙載台の下流側に配置された読取プラテンと、
前記紙載台でカットされたシートを前記読取プラテンに移送するシート送り手段と、
前記読取プラテンに配置された画像読取手段と、
を備え、
前記切断手段と前記シート送り手段と前記読取プラテンとは、この順に配列され、
前記紙載台は、冊子状シートの背部が前記切断手段と対向し、切断されたシートは小口部側が前記読取プラテンに向くように配置され、
前記切断手段は、
切断刃と、
この切断刃を前記紙載台上の束シートの背部端縁に沿って往復動させるガイド部材と、
で構成され、
この切断手段は前記紙載台上の束シートを段階的に複数回切断することを特徴とするカッティング機構を有するスキャナ装置。
【請求項２】
前記紙載台には、
束シートの厚さ方向に紙載台を段階的に繰上げ移動する紙載台昇降手段と、
前記紙載台の上方に配置され最上シートと係合する紙押え手段と、
が配置され、
前記紙載台昇降手段による紙載台の上昇で束シートを紙載台と紙押え手段との間に加圧保持すると共に、
この紙載台の変位量で前記切断刃の切込み深さを設定することを特徴とする請求項１に記載のカッティング機構を有するスキャナ装置。
【請求項３】
前記切断手段と前記シート送り手段と前記読取プラテンとは、略直線上に配置され、
前記紙載台と読取プラテンとの間に、シート送り手段とシートを１枚ずつ分離する分離手段が配置されていることを特徴とする請求項１に記載のカッティング機構を有するスキャナ装置。
【請求項４】
前記シート送り手段は、
前記紙載台上方に昇降可能に配置したキックローラと、
紙載台と読取プラテンとの間に配置した給紙ローラと、
この給紙ローラと読取プラテンとの間に配置したレジストローラと、
で構成され、
前記分離手段は、
前記給紙ローラと、
この給紙ローラに圧接した分離部材と、
で構成されていることを特徴とするカッティング機構を有するスキャナ装置。
【請求項５】
前記切断刃は、ディスク形上に構成され、前記紙載台上の束シートの背部端縁に沿って回転しながら往復動することを特徴とする請求項１に記載のカッティング機構を有するスキャナ装置。
【請求項６】
前記切断刃は、平刃形上に構成され、前記紙載台上の束シートの背部端縁に沿って一方向に移動するとき束シートを切断することを特徴とする請求項１に記載のカッティング機構を有するスキャナ装置。
【請求項７】
前記ガイド部材は、
前記切断刃を保持するホルダ部材と、
このホルダ部材を前記紙載台上の束シートの背部端縁に沿って往復動可能に案内するガイドレールと、で構成され、
このホルダ部材は、手動動作又は駆動モータで束シートの一端から他端に移動する過程で束シートの最上層を切断することを特徴とするカッティング機構を有するスキャナ装置。
【請求項８】
前記ガイド部材は、
前記切断刃を回転可能軸支持するホルダ部材と、
前記ホルダ部材を束シートの背部端縁に沿って往復動可能に案内するガイドレールと、
で構成され、
前記ホルダ部材は、
前記紙載台上の束シートの背部端縁に沿って走行する走行ベルトに連結され、
この走行ベルトを支持する一対のプーリには、その一方に駆動モータが連結され、
ていることを特徴とするカッティング機構を有するスキャナ装置。
【発明の詳細な説明】
【技術分野】
【０００１】
本発明は製本綴じされたシート束を切断して画像読取するカッティング機能を有するスキャナ装置に係わり、綴じ代部のカットから画像読取までの一連の処理の高速化に関する。
【背景技術】
【０００２】
書籍など綴じ処理されたシート束を切断して分離した状態で画像読取して電子データとして活用する方法が広く使用されている。特に最近の携帯端末では、文庫本などの書籍を電子データ化して携帯使用することが流行化している。
【０００３】
従来、このような作業を高速に、手際よく行なうためには、スキャナ装置と、断裁装置を使用することが考えられる。例えば、断裁装置で製本束の背部を断裁した後、分離したシート束をフィーダ機構で画像読取部に送り、電子データ化することが可能である。
ところがこのような製本用の裁断機は大型で熟練した作業が要求され、パーソナルユースで製本のバラシと画像読取を簡単な作業で行うことが出来る安価な装置が求められている。
【０００４】
例えば、特許文献１にはトレイ上に製本状態の冊子シートを載置し、このトレイ上で裁断した後に、このシートを下流側に送って画像読取する装置が提案されている。
【先行技術文献】
【特許文献】
【０００５】
【特許文献１】特開平８−１５９２７号公報
【発明の概要】
【発明が解決しようとする課題】
【０００６】
上述のように製本された冊子シートを切断して分離した後にプラテンに送って画像読取する装置は特許文献１などに提案されている。従来の装置は、画像読取の前工程として、冊子シートを全て裁断してバラした後にフィーダ機構でプラテンに給送している。
【０００７】
このようにその厚さに関係なく冊子を第一工程で裁断し、次いでバラしたシートを画像読み取りする方法では、断裁装置とスキャナ装置を単に合体したに過ぎないため、装置は大型で高価となりパーソナルユースに向かない。
【０００８】
更に従来知られている特許文献１の装置は、プラテンに向けて給送するシートの先端側に背綴じ部が位置するようにセットし、この姿勢で切断した後にシートの背部を先頭に順次プラテンに給送している。
このような裁断した端縁から画像読取を開始する方法では、画像の読取開始位置（行）が切断位置（場所）によって異なり、取得した画像データの余白がばらついて画像品位が劣る問題を引き起こす。
【０００９】
そこで本発明者は、冊子状シートを上層部から数枚ずつ徐々に切断して下流側のプラテンで画像読取するとの着想に至った。これによって装置の大型化と高コスト化を解決でき、熟練を要することなく簡単に作業することが出来る。
これと共に冊子状シートを小口側からプラテンに送って小口縁を基準（読取開始点）に画像読取することによって余白を正確に再現するとの着想に至った。
【００１０】
本発明は、冊子状シートを切断して画像読取する際に切断から画像読取までを簡単な構造であると共に再現性に富んだ画像読取が可能であるカッティング機構を有するスキャナ装置の提供をその課題としている。
【課題を解決するための手段】
【００１１】
上記課題を達成するため本発明は、紙載台に冊子状シート束を載置し、背綴じ部の一端から他端に切断刃を往復移動することによってシート束を段階的に複数回切断して下流側のプラテンで画像読取りすることと、切断手段とシート送り手段と読取プラテンをこの順に配置し切断されたシートを小口部側から読取プラテンに送ることを特徴としている。
このように構成することによって切断装置を大型で堅牢に構成する必要がなく、同時に切断したシートは切断側と反対の小口端側から画像読取りを開始するので画像データとして余白を正確に再現することが出来る。
【発明の効果】
【００１２】
本発明は紙載台上にセットした冊子状シートを、その一端から他端に往復動する切断刃で数枚ずつ切断して下流側のプラテンで画像読取するようにしたものであるから以下の効果を奏する。
【００１３】
冊子状のシート束を、切断刃を一端から他端に往復回移動して数枚ずつ徐々に切断して画像読取するから、切断機後部は簡単な構造で安価であり取扱いも容易である。
【００１４】
切断したシートは小口端からプラテンに給送して画像読取するから読取開始行は切断した背部の反対側に位置する小口端縁となり、切断位置に関係なく余白を正確に再現することができる。
これと共に切断線が傾斜しても小口端から送ったシートはスキュすることがなく読取画像の歪みを招く問題がない。
【図面の簡単な説明】
【００１５】
【図１】本発明に係わるカッタ機構を有するスキャナ装置の第１実施形態を示す説明図。
【図２】図１と異なるカッタ機構を有するスキャナ装置の第２実施形態の説明図。
【図３】図２の装置における紙載台の構成説明図。
【図４】図２の装置における切断機構部の構成説明図。
【図５】図２の装置における切断機構部の構成説明図。
【図６】第２実施形態の動作状態を説明するフローチャート。
【図７】第２実施形態の画像読取動作と切断刃復帰を説明するフローチャート。
【図８】本発明に係わるスキャナ装置の制御構成を示すブロック図。
【発明を実施するための形態】
【００１６】
以下図示の好適な実施の形態に基づいて本発明を詳述する。図１は本発明にかかわるカッタ機構付きスキャナ装置の一実施形態を示す。図２は異なる実施形態（第２実施形態）を示し、第１実施形態、第２実施形態の順に説明する。
【００１７】
［第１実施形態］
図１に示す装置は、冊子状シート束Ｓ（以下単に「束シート」と云う）を載置する紙載台１と、この紙載台１にセットされたた束シートＳを切断する切断機構部Ａ（後述する切断手段２）と、切断されたシートを画像読取する画像読取部Ｂ（後述する画像読取手段３）とから構成されている。
【００１８】
装置フレーム４は適宜形状のハウジングで構成され、そのフレーム４にトレイ形状の紙載台１がリンクレバー機構５で昇降可能に支持されている。図示のリンクレバー機構５は、装置フレーム４に揺動可能に軸支持した一対の揺動レバーを互いに交差させて軸連結（回動可能）している。
このようなパンタグラフ機構のリンクレバー機構５は先端部に紙載台１を軸支持すると紙載台を平行な姿勢で上下動させることが可能である。このリンクレバー機構５の詳細は第２実施形態で後述する。
【００１９】
本発明の紙載台１はリンクレバー機構５に拘わらず、束シートを載置する紙載台１を略並行な姿勢で上下動させる機構であれば良い。
例えば、ワイヤ・プーリの懸架機構、ラック・ピニオンの昇降機構、その他、種々の昇降機構が採用可能である。
【００２０】
また上記昇降機構とは別に、紙載台１には常時上方に付勢する付勢スプリング（コイルスプリング）６が装置フレーム４との間に配置されている。図示のものは２本のコイルスプリング６で紙載台１を上方に付勢し、紙載台１に載置した束シートＳを後述する紙押え手段７の紙圧面８に係合させている。
【００２１】
このコイルスプリング６は、紙載台上の束シートＳを上方に付勢する作用を有するが、これは束シートＳを紙載台１の上方に位置する紙押え手段７（紙圧面８）に弾圧させる為である。これは束シートＳを切断刃９で切断する際にシートが妄りに移動をしないように加圧力を付与するためである。
従って後述する切断刃９でシートを切断する際に、シートが移動して姿勢が崩れることがないシート（例えば薄いシート）であれば、付勢スプリング（コイルスプリング）６を設ける必要はない。
【００２２】
しかし、通常の構成では押圧力の大小に拘わらず紙押え手段７が必要であり、図１の装置は、紙載台１の上方に紙押え手段７を配置している。
装置フレーム４に固定（一体的に）され、紙載台上の最上紙と係合（圧接）する紙圧面８を有する紙押え部材（紙押え手段）７が設けられている。この紙圧面８に紙載台１に内蔵した付勢スプリング（コイルスプリング）６で束シートが圧接保持される機構を採用している。
【００２３】
また、紙載台１の上方には、冊子状の束シートＳを、その背綴じ部（背部）Ｓ１が後端側（図１右側）に、小口部Ｓ２が先端側（図１左側）に位置するように載置する。そしてこの束シートＳを背綴じ部Ｓ１から切断して小口部Ｓ２側から下流側に搬送する。
【００２４】
このため、紙載台１の後端側には最上シートから背綴じ部Ｓ１を切断する切断機構部Ａ（切断手段２）が配置されている。この切断機構部Ａについて説明する。
図示の切断手段２は、切断刃９と、この切断刃を束シートＳの背部端縁に沿って一端から他端に往復移動するガイド部材１０と、駆動手段１１で構成されている。
図示の切断刃９は円形状（ディスク形状）のロータリーカッタで構成され、回転軸１２を中心に回転しながら束シートＳの一端から他端に移動するようになっている。
この切断刃９の移動機構は、後述する第２実施形態の移動機構を採用することも可能である。
【００２５】
この他、切断刃９としてはディスク形状に限らず平刃形状に構成しても良く、その場合には刃先にホルダを設けて、このホルダを束シートＳの一端から他端に往復移動するキャリッジ部材（以下単に「キャリッジ」という）に取り付ける。
その構成は図示しないが例えばフレームの一端から他端に走行ベルトを配置し、左右一対のプーリの一方に駆動モータを連結する。そして走行ベルトにキャリッジを固定し、このキャリッジは装置フレーム４にガイドレールで往復移動可能に支持し、このキャリッジに切断刃９のホルダを固定する。
【００２６】
このような構成によって駆動モータを正逆回転し、走行ベルトを束シートＳの背部端縁に沿って所定ストロークで往復移動する。ロータリーカッタ、平刃カッタ、いずれの構成であっても束シートＳを最上シートから背綴じ部Ｓ１を切断する。
【００２７】
この場合、束シートＳを切断刃９の１回の移動で、１枚を切断するか、複数枚を切断するか、その枚数は、刃先形状と、紙圧面８と刃先端の間隔（切り込み量；t）によって決定する。
本発明は束シートＳを１枚ずつ切断する装置仕様が、最もシンプルで小型安価に構成することが出来るが、常に１枚を確実に安定して切断することは困難であり、ダブルフィード、ノンフィードを招く恐れがある。
後述する第２実施形態は、束シートＳを複数枚ずつ複数回裁断する場合を示す。
【００２８】
上記紙載台１の下流側には画像読取部Ｂが設けられている。画像読取部Ｂについて説明する。
紙載台上には切断刃９で切断したシートを下流側に送り出すピックアップローラ１２が配置されている。このピックアップローラ１２は、紙載台１の上下動方向と同一方向に上下昇降可能に構成され、図示しない駆動モータに連結されている。
【００２９】
そして紙載台１の上方の待機位置から最上紙の上に下降し、駆動モータで図示時計方向に回転して最上シートから順に下流側に搬送する。このピックアップローラ１２は、シート給送の都度、待機位置と下降位置との間で上下動させても良いが、待機位置で束シートＳを紙載台１にセットした後は、下降した作動位置に位置保持しても良い。
【００３０】
画像読取手段３は紙載台１と距離を隔てた位置に配置され、シートガイド１３で連結されている。画像読取手段３としては、図示の密着型センサであっても縮小光学系読取センサであっても良い。
縮小光学系読取は、例えば紙載台１の下流側にガラスプラテンを設け、このプラテンにシートを搬入する。そしてプラテンに停止セットしたシートをこれに沿って移動するラインセンサで画像読取するように構成する。
【００３１】
図示の装置は密着型センサを用いる場合を示している。紙載台１からシートを搬送するシートガイド１３にはフィードローラ１４が配置され、シートを所定速度で下流側に搬送する。
そしてこの移動するシートの表面側を第１センサＨＳ１で、裏面側を第２センサＨＳ２で画像読取する。このためシートガイド１３には画像読取手段３の上流側にシート先端を検出する入口センサＳｅ１が配置され、シートの先端を検出して画像の読取開始位置を割り出すようにしている。
【００３２】
画像読取手段３の下流側には排紙ローラ１５が配置され、排紙センサＳｅ２が設けられている。そして画像読取されたシートは排紙トレイ１６に集積される。
【００３３】
このように本発明は画像読取部と束シートＳの切断位置とをシート流れ方向の両端部に配置している。このため後端部で束シートの背綴じ部Ｓ１を切断して切り離し、先端側の小口端Ｓ２側から画像読取手段（読取部）３に移送している。
【００３４】
従って、画像読取センサＨＳ１（ＨＳ２）で読み取る画像データは冊子状シートの小口端Ｓ２を基準に余白と画像領域を正確に読み取ることが可能である。これと共にカットラインがスキュしてもシートは小口端側から給送されるためスキュ搬送を招くことも、画像読取に影響を及ぼすこともない。
【００３５】
図１に示す第１実施形態についてその作用を説明する。図示の装置は切断機構部Ａ（ユニット）を回転軸１６を中心に回動させて切断刃９が紙載台１の上方から側方（同図右端）に退避するように構成されている。
そこでオペレータは紙載台１を付勢スプリング６に抗して下限位置に押下する。この操作はオペレータはが紙載台１を下方にを押し下げることによってで手動で行う。この紙載台１への束シートＳのセットは背綴じ部（背部）Ｓ１が切断刃９と対向し、小口部Ｓ２が画像読取手段３に向かう方向に行う。
【００３６】
この紙載台１へのセットで束シートＳは付勢ススプリング６の弾性力で紙押え部材７との間で挟み保持（挟持）される。そこで切断機構部Ａを図示の状態に戻し、切断刃９を束シートＳの背部端縁に沿って一端から他端に移動する。
この切断刃９の移動はオペレータが手動で行なう構成と、切断機構部Ａに内蔵した駆動モータ（不図示）で行う構成のいずれかを採用する。
このような動作で束シートＳの最上紙から切断し、切断したシートは、ピックアップローラ１２で紙載台１から下流側に繰り出される
【００３７】
この紙載台１から繰り出されたシートを入口センサＳｅ１が先端検出し、その信号から所定時間後（シート先端が画像読取センサに到達する見込み時間）に第１第２センサ（画像読取センサ）ＨＳ１，ＨＳ２で画像読取する。
この画像読取の終了後に排紙センサＳｅ２がシート後端を検出すると、切断機構部Ａで次の最上シートを切断する。  
【００３８】
第１の実施形態ではシートを１枚ずつ切断して画像読取する場合を示したが、切断機構部Ａによるシートの切断は一枚に限らず、例えば複数枚を同時に切断することも可能である。
この場合には紙載台１と画像読取手段３との間にシートを１枚ずつ分離する分離手段を配置する。この分離手段としては、例えばフィードローラ１４（給紙ローラ）に分離パッドを圧接する構成と、逆転ローラ（リタードローラ）を圧接するなどの機構が知られている。
【００３９】
[第２実施形態]
次に第２実施形態について説明する。図２はその全体構成を、図３は紙載台１８の構成を、図４及び図５は切断機構部Ｃの構成を示す。
図２について説明すると、図示の装置は切断機構部Ｃと画像読取部Ｄで構成されている。切断機構部Ｃは紙載台１８と切断手段１９と紙押え手段２０とで構成され、紙載台１８には紙載台昇降手段２１が設けられている。各構成について説明する。
【００４０】
［切断機構部Ｃ］
「紙載台」
紙載台１８は束シートＳを載置するトレイ形状に合成樹脂などで形成されている。この紙載台１８には載置した束シートＳを固定するクランプ手段２２（背綴端紙押え手段）と、紙載台昇降手段２１が設けられている。
図示２３は刃受部材であり、後述する切断刃２４と対向する刃受面を有している。この刃受部材はゴム質材などの軟質素材で構成されている。
【００４１】
また図示２５は摩擦プレートであり、後述するピックアップローラ２６と対向する位置に配置され紙載台上の最下紙を確実に繰り出すための摩擦作用を有するコルクプレートである。紙載台１８は、紙載台昇降手段２１によって装置フレーム２７に昇降可能に支持されている。
【００４２】
紙載台昇降手段２１は、種々の構成が採用可能である。図示のものは左右一対の揺動アーム２８ａ，２８ｂで構成され、両アームが回動可能に支持ピン２９で連結されている。各揺動アーム２８ａ，２８ｂは、その下端部が支軸３０ａ，３０ｂで装置フレーム２７に揺動可能に支持され、上端部は紙載台１８に支軸３１ａ，３１ｂで連結されている。
【００４３】
「紙載台昇降手段」
図３は紙載台昇降手段２１の詳細な構成を示す。一対の揺動アーム２８ａ，２８ｂは支持ピン２９でスリット孔に嵌合され互いに揺動可能に連結されている。各アームの下端部は装置フレーム２７に支軸３０ａ，３０ｂで揺動可能に連結され、上端部は紙載台１８に形成したスリット１８ｓに嵌合して連結されている。
【００４４】
このような構成で揺動アーム２８ａ（２８ｂ）の一方を所定角度回転させると紙載台１８は平行な姿勢で上下動することとなる。
そこで揺動アームの一方２８ｂには支軸３０ｂにプーリ３２が設けられ、このプーリ３２は支軸３０ｂを中心に揺動アーム２８ｂと一体に揺動するように設けられている。
【００４５】
そしてプーリ３２にはワイヤ３３が巻回されワイヤ３３を牽引することによって揺動アーム２８ｂを所定角度回転するように構成されている。
ワイヤ３３の一方には付勢スプリング３４が連結され、このスプリングの他端は装置フレーム２７に固定されている。ワイヤの他端は昇降モータＭ２に連結された巻上軸３５に固定されている。
【００４６】
そして、付勢スプリング３４の作用で紙載台１８は常時上方に付勢され、昇降モータＭ２の回転で紙載台１８を降下させるように構成されている。これと共に紙載台１８には図示しない下限位置検出センサが設けられ、下限位置を検出するようになっている。
【００４７】
上記昇降モータＭ２を制御するため、紙載台１８の高さ位置を検出するレベルセンサＳｅ３が設けられている。
図示のものは後述する切断機構部Ｃからセンサレバー３５を紙載台１８の最上紙の上に垂下させ、その高さ位置をホトセンサで検出する構成を採用している。
このレベルセンサＳｅ３で紙載台上の束シートＳの最上紙の高さ位置を検出し、低いときには昇降モータＭ２を繰上げ方向に回転し、高すぎるときには繰下げ方向に回転する。
【００４８】
「クランプ手段」
上記クランプ手段２２について説明すると、このクランプ手段２２は、紙載台１８上に載置した束シートの背部（糊綴部）Ｓ１を固定する機構で構成されている。図示のものは、束シートの背部Ｓ１を押圧するプレス部材３６と、これをシート束Ｓに押圧する締め付けボルト３７で構成されている。
この締め付けボルト３７を回転することによって紙載台上に束シートの背部Ｓ１を押圧して位置保持し、ボルトの逆回転で束シートＳ１を紙載台１８から取外すことができる。なお、束シートＳは後述する紙押え手段２０で紙載台上に位置保持するように構成している。
従って束シートＳの位置保持は、図示のクランプ手段２２によるか、或いは後述する紙押え手段２０かいずれか一方を備える構成であってもよい。
【００４９】
［切断機構部］
次に図４に従って切断機構部Ｃについて説明する。図示の切断機構部Ｃ（切断手段１９）は、切断刃２４と、この切断刃を束シートＳの一端から他端に移動するガイドレール（ガイド部材；以下同様）４１ａ，４１ｂと、ガイド部材に沿って切断刃２４を往復動する駆動モータ（走行モータ）Ｍ３で構成されている。
切断刃２４は円形状のディスク（以下「回転刃」という）で構成され、中心を回転軸２４ａと一体に固定され、この回転軸はキャリッジ部材４０に回転可能に軸受支持されている。図示２４ｂは切断刃２４のカバーでありキャリッジ部材４０に一体に形成されている。
【００５０】
キャリッジ部材４０は一対のガイドレール４１ａ，４１ｂに嵌合支持され、このガイドレールに沿って所定ストロークで往復動する。このキャリッジ部材４０には回転軸４２が位置調整ネジ４３で嵌合支持され、回転軸４２に一体形成したローレット４２ａで切断刃２４の図示Ｙ方向の位置を調整するようになっている。
つまりローレット４２ａの回転で束シート背部Ｓ１の切断位置を変更できるようになっている。これは処理する束シートＳの接着剤の厚さに応じてオペレータが切断位置を選択できるようにするためである。
【００５１】
上記キャリッジ部材４０には、その位置を検出するフラグ４４が取付けられ、このフラグ４４を検出するポジションセンサＳｐ１（Ｓｐ２）がフレーム側に設けられている。
図示のポジションセンサは、キャリッジ部材４０のホームポジションに第１のポジションナセンサＳｐ１を、リターン位置に第２のポジションナセンサＳｐ２を配置している。  
そしてＳｐ１＝ＯＮでキャリッジ部材４０がホーム位置に在ることを、Ｓｐ２＝ＯＮでリターン位置に在ることを検出する。
また、キャリッジ部材４０には伝動爪が設けられ、装置フレーム２７に装備した走行ベルト４６に連結されている。
走行ベルト４６は図５に示すように左右一対のプーリ４７ａ、４７ｂに架け渡した歯付ベルトで構成され、プーリの一方４７ｂには走行モータＭ３が減速歯車４８を介して連結してある。
【００５２】
切断刃２４は、キャリッジ部材４０に回転可能に支持され、キャリッジ部材４０はガイドレール４１ａ、４１ｂに支持されている。この状態で切断刃２４の刃先は、紙載台上の最上紙から一定の切込み深さΔt（図５参照）を形成するようになっている。
この切込み深さΔｔは、後述する紙押え手段２０の紙圧面２０ｘと段差Δtを形成する。これによって切断刃２４を束シートＳの一端から他端に移動する切断動作で切断するシート枚数が設定される。
そしてこの切断刃２４の切込み深さΔｔは束シートＳの厚さより充分小さく設定され、切断刃２４の複数回の往復動で束シートＳを上層紙から数枚ずつ徐々に切断するようになっている。
【００５３】
このような構成で切断刃２４の回転軸２４ａにはピニオン４９が取付けられ、このピニオン４９はガイド部材（ガイドレール）４１に配置したラック５０に歯合されている。
従って走行ベルト４６でキャリッジ部材４０を束シートＳの一端から他端に移動すると、切断刃２４は回転しながら同方向に移動することとなる。このような構成によって１モータで切断刃２４を回転と同時に切断方向へ移動することが出来る。
【００５４】
「紙押え手段」
上述したように切断刃２４で束シートＳを切断する際に、束シートＳを押圧保持する必要がある。この機構（以下「紙押え手段」という）は先に説明したクランプ手段２２で構成するか、あるいは、紙載台上に最上シートと係合する紙圧面２０ｘを有する紙押え手段２０を設ける。
図示の紙押え手段２０は、装置フレーム２７にゴム、スポンジなどの軟質パッドを最上紙と接する位置に配置してある。
そして紙載台１８には前述した付勢スプリング３４が設けてあり、このスプリングの付勢力で束シートＳは最上紙が紙圧面２０ｘに押圧してその全体が位置保持される。
【００５５】
このほか紙押え手段２０としては、紙載台１８の上方に昇降可能に加圧アームを設け、この加圧アームを作動ソレノイドなどで上下動してアーム先端に設けた紙圧面で束シートＳを押圧する機構も採用可能である。
【００５６】
［紙送り機構］
上述した切断機構部Ｃの下流側には画像読取部Ｄが配置されている。紙載台上で束シートＳを最上層部から切断し、そのシートを画像読取部Ｄに移送して画像読取するようにレイアウトされている。
そして紙載台１８には上流側に切断手段１９が配置され、切断されたシートが小口部Ｓ２から下流側の画像読取部Ｄに搬送されるように保持されている。
【００５７】
この紙載台１８には、その先端部にピックアップローラ２６が配置され、紙載台上の最上シートを下流側に繰り出す。このためピックアップローラ２６は回転軸５１を中心に上下揺動する昇降アーム５２に取付けられ、図示時計方向に回転するローラで構成されている。
そして図示しない駆動モータＭ４でピックアップローラ２６は上昇した待機位置から下降した最上シートと係合する作動位置に下降してシートを繰り出す。
【００５８】
また紙載台１８の先端部には捌き部材５３が設けられ、複数枚送られたシートを前捌きする。この捌き部材５３の下流側には給紙ローラ５４と分離ローラ５５のローラ対が配置され、シートを１枚ずつ分離して移送する。
この給紙ローラ５４の下流側にはレジストローラ対５６が設けられシート先端部を先端揃えした後に下流側の読取プラテン５７に給送する。
読取プラテン５７にはシートの画像を読取る読取センサが、第１センサＨＳ１は表面の画像を、第２センサＨＳ２は裏面側の画像を読み取るように互いに対向する位置に配置されている。
【００５９】
この第１第２センサＨＳ１，ＨＳ２の構造は前述の第１実施形態と同一でありよく知られた構造であるのでその説明を省略する。また読取プラテン５７の下流には排紙ローラ対５８が設けられ図示しない排紙トレイに読取後のシートを収容する。
【００６０】
上記読取プラテン５７の上流側にはレジストセンサ（入口センサ）Ｓｅ１が、下流側には排紙センサＳｅ２が配置されている。
そして後述する制御手段６０は、レジストセンサＳｅ１でシート先端を検出する。このセンサ情報で制御手段６０は、例えば切断刃２４が切断のストローク動作を終了した信号（前述のポジションセンサＳｐ１からの信号）から所定時間経過してもシートが到達しない時には、シートジャムあるいはシート切断不良と判断し、装置を停止する。
またこのセンサでシート先端縁を検出した信号から所定時間レジストローラ対５６を停止した状態に維持して先端揃えさせる。
【００６１】
そして制御手段６０からのスタート信号でレジストローラ対５６を回転し読取プラテン５７にシートを移送する。このようにレジストセンサ（入口センサ）Ｓｅ１は、シートのノンフィードと、シートジャムと、シートの切断不良を検出する。
これと共にシート先端縁をレジスト修正して読取開始姿勢を矯正する制御信号として使用する。
【００６２】
また、読取プラテン５７の下流側に配置された排紙センサＳｅ２には、シート先端を検出した信号か、若しくは後端を検出した信号で、後続する次シートを画像読取のために給送する指示信号を発すること、後続する次シートの切断を開始する切断指示信号を発すること、などの制御に使用する。具体的な制御の構成については後述する。
【００６３】
［制御構成］
図８に示すブロック図に従って本発明に係わるスキャナ装置の制御について説明する。
制御手段６０は、制御ＣＰＵで構成され、制御プログラムを記憶したＲＯＭ６１と、制御データを記録したＲＡＭ６２を備えている。この制御手段６０は、ＲＯＭ６１の制御プログラムに従って、後述する動作を実行する。
このため制御手段６０は紙載台昇降制御部６３、切断処理制御部６４と画像読取制御部６５から構成されている。
【００６４】
紙載台昇降制御部６３は、紙載台１（１８）を昇降する昇降モータＭ２のドライバ回路６３ｄにコマンド信号を送る。また切断処理制御部６４は、切断刃９（２４）を束シートＳの一端から他端に移動する走行モータＭ３のドライバ回路６４ｄにコマンド信号を送る。
画像読取制御部６５は、第１第２の読取センサＨＳ１，ＨＳ２に読取制御信号とデータ処理回路６５ａと、データ転送回路６５ｂにコマンド信号を送るようになっている。そして制御手段６０はＲＯＭ６１に準備されたプログラムで各処理動作を実行する。
【００６５】
以下図６に従って第２実施形態の動作状態を説明する。実施装置電源を投入する（Ｓt０１）。切断手段１９はイニシャライズ動作を実行する（Ｓｔ０２）。この動作で切断刃２４はホームポジションに移動し同時に紙載台１８は下限位置に移動する。
このイニシャライズ動作終了後、制御手段６０はオペレータがからのスタート信号を待つ（Ｓｔ０３）。スタート信号を受信した後、昇降モータＭ２を上昇方向に回転駆動する（Ｓt０４）。紙載台１８の上昇によってレベルセンサＳｅ３がＯＮすると（Ｓｔ０５）、昇降モータＭ２を停止し、制御手段６０は切断刃２４の移動を開始する（Ｓｔ０６）。
【００６６】
この移動は走行モータＭ３を回転し、走行ベルト４６を図示矢印方向（図５参照）に移動する。すると切断刃２４は束シートＳの一端（左端）から他端（右端）に移動する。この移動と共にピニオン４９がラック５０と係合して図示時計方向に回転する。
これにより切断刃２４は回転しながら束シートＳの一端から他端に移動し、その刃先で束シートＳを切断する。このときの切込み深さは所定の厚さに設定してあり、シート数枚を切断する。
【００６７】
このように切断刃２４を走行ベルト４６でホームポジションから所定ストローク移動する（Ｓｔ０７）。そしてこの移動量は例えば走行モータＭ３に設けたエンコーダの回転角度で移動量を設定する。
切断刃２４が所定位置に移動した後は昇降モータＭ２を下降回転して、紙載台１８を下限位置に降下させる（Ｓt０８、Ｓｔ０９）。この動作の後、画像読取動作に移行する（Ｓｔ１０）。そしてこの動作と同時並行して切断刃２４をホームポジションに復帰させる（Ｓｔ１８）。
【００６８】
図７に従って画像読取動作と切断刃２４のホームポジション移動について説明する。切断動作が終了すると制御手段６０は、所定量移動したエンコーダ信号（動作終了信号）、若しくは切断刃２４のポジションセンサＳｐ１からの信号（切断動作終了信号）でピックアップローラ２６を回転すると同時に最上紙の上に降下させる（Ｓｔ１１）。
次に制御手段６０はレジストセンサ（入口センサ）Ｓｅ１がシート先端を検出した後、予め設定した所定時間が経過するまでピックアップローラ２６を回転する（Ｓｔ１３）。
【００６９】
制御手段６０は読取開始信号（例えば外部ＰＣからの指示信号）でレジストローラ対５６を回転する（Ｓｔ１４）。次に制御手段６０は排紙センサＳｅ２がシート先端を検出するか否か監視し（Ｓｔ１５）、排紙センサＳｅ２がシート後端部を通過してオフする信号を待つ（Ｓｔ１６）。制御手段６０は排紙センサＳｅ２がシート後端部の通過を検知した後、レジストセンサ（入口センサ）Ｓｅ１の信号で次シートがあるか否かを検知する（Ｓｔ１７）。
次シートがない時にはステップＳｔ０４の動作に戻る。そして制御手段６０は昇降モータＭ２を上昇回転し、走行モータＭ３を駆動して後続するシートを切断する。
【００７０】
またステップＳｔ１７で次シートが有ると判断した時には、ステップＳｔ１１に移行する。この時すでにレジストセンサ（入口センサ）Ｓｅ１にはシートが存在するが、ピックアップローラ２６および給紙ローラ５４を回転してシートを前進させシート先端揃えする。このシート先端揃えが終了した後は先行シートと同様に画像読取動作を実行する。
【００７１】
このような画像読取動作と並行して制御手段６０は復帰動作を実行するステップＳｔ１８で昇降モータＭ２を回転させ紙載台１８が下限センサＯＮ状態に降下したとき制御手段６０は走行モータＭ３を逆回転させる（Ｓｔ１９）。
すると走行モータＭ３を切断刃２４はホームポジションに復帰する（Ｓｔ２０）。この状態で走行モータＭ３を停止し待機する（Ｓｔ２１）
【００７２】
以上の動作で紙載台上の束シートＳは、その最上紙から切断刃２４で切断され、次いで画像読取部Ｄで画像読取される。そして先行するシートが画像読取されると、切断刃２４は後続するシートを切断し、同様に画像読取する。
そしてこのような切断／画像読取の動作を複数回繰り返して束シートＳを最上シートから順々に画像読取する。
【００７３】
なお、本発明にあって紙押え手段７（２０）は、紙圧面８（２０ｘ）で最上シートを押圧する構成を示したが、この他、紙押え手段を例えば第２実施形態に示すクランプ手段２２で構成しても良い。この場合には紙押え部材を備えない構成となる。
【符号の説明】
【００７４】
Ｍ２            昇降モータ
Ｍ３            走行モータ
Ｓｅ１          入口センサ
ＨＳ１          第１センサ（表面側）画像読取センサ
ＨＳ２          第２センサ（裏面側）画像読取センサ
Ｓｅ２          排紙センサ
１              紙載台
２              切断手段
３              画像読取手段
５              リンクレバー機構
６              付勢スプリング（コイルスプリング）
７              紙押え手段（紙押え部材）
８              紙圧面
９                         切断刃
１０                     ガイド部材
１２            ピックアップローラ
１３            シートガイド
１４            フィードローラ
１５            排紙ローラ
１８            紙載台
１９            切断手段
２０            紙押え手段（紙押え部材）
２１            紙載台昇降手段
２２            クランプ手段（背綴端紙押え手段）
２４            切断刃
２６            ピックアップローラ
３４            付勢スプリング
３６            プレス部材
３７            締め付けボルト
【図１】
2013183172.tif 000003
【図２】
2013183172.tif 000004
【図３】
2013183172.tif 000005
【図４】
2013183172.tif 000006
【図５】
2013183172.tif 000007
【図６】
2013183172.tif 000008
【図７】
2013183172.tif 000009
【図８】
2013183172.tif 000010